(57)【要約】      （修正有）【課題】染毛後の髪色を正確かつ容易に示すことができる染毛用色見本を提供する。【解決手段】透視しうるベース材と、このベース材に形成された染毛色表示領域１２〜１４とを有する。染毛色表示領域１２〜１４は着色部と非着色部が混在する構成とされている。染毛用色見本１０を使用者Ａの髪に当て、染毛色表示領域１２〜１４を介して使用者Ａの髪を見ることにより、染毛色表示領域１２〜１４から使用者Ａの髪の色を反映した染め上がりの色を確認することができる。【選択図】図３
0003185980.tif 000002
【実用新案登録請求の範囲】
【請求項１】
透視しうるベース材と、
該ベース材に形成された染毛色表示領域とを有する染毛用色見本であって、
前記染毛色表示領域は、着色部と、非着色部が混在する構成であることを特徴とする染毛用色見本。
【請求項２】
前記染毛色表示領域を複数形成し、
複数の前記染毛色表示領域は、各々の色相が等しく、濃淡が異なる構成であることを特徴とする請求項１記載の染毛用色見本。
【請求項３】
前記染毛色表示領域の全面積に対する前記着色部の面積の割合が３０％より大きく７０％より小さい値である請求項１記載の染毛用色見本。
【考案の詳細な説明】
【技術分野】
【０００１】
本考案は、染毛後の髪色を知るための染毛用色見本に関する。
【背景技術】
【０００２】
近年、ヘアカラーを用いて髪の色を変える、いわゆる“おしゃれ染め”が流行している。これに伴い、ヘアカラーの施術率も急速に伸びている。
【０００３】
ヘアカラーの施術を行う場合、ヘアカラーの使用者の最も大きな関心事は染め上がりの色がどのようになるかである。従来では、染め上がりのヘアカラーを使用者に知らせるために、サンプル用毛に染毛を行った染毛用サンプルを用いて染毛後のヘアカラーを示したり（特許文献１，２）、また染毛後の色を表示した染毛用見本を用いて示したりすること（特許文献３）が行われていた。
【先行技術文献】
【特許文献】
【０００４】
【特許文献１】特開平０７−１７１０１８号公報
【特許文献２】特開平０７−０３３２０９号公報
【特許文献３】特開２００３−２０４８１９号公報
【考案の概要】
【考案が解決しようとする課題】
【０００５】
しかしながら髪に染毛処理を行う場合、染毛後の髪の色は染毛剤の色のみにより決まるものではない。即ち、染毛剤は使用者の元の髪を染色するものであるため、元の髪色が染毛後の髪色に大きく影響する。
【０００６】
上記の染毛用サンプル及び染毛用見本は、一般的な髪色を基準として作成しているため、使用者個々の髪色を反映したものではない。このため、染毛用サンプル及び染毛用見本の表示だけから個々の使用者の染毛後の毛髪色を予測することが困難で、染毛後の毛髪色を正確に予測することができないという問題点があった。
【０００７】
本考案は上記の点に鑑みてなされたものであり、染毛後の髪色を正確かつ容易に示すことができる染毛用色見本を提供することを目的とする。
【課題を解決するための手段】
【０００８】
上記の課題は、第１の観点からは、
透視しうるベース材と、
該ベースに形成された染毛色表示領域とを有する染毛用色見本であって、
前記染毛色表示領域は、着色部と、被着色部が混在する構成であることを特徴とする染毛用色見本により解決することができる。
【考案の効果】
【０００９】
開示の考案によれば、染毛用色見本を使用者の髪に当てて、着色部を介して髪を見ることにより、使用者本人の髪の色と着色部の色が混色した状態の色を見ることができ、この混色した色は染色後の髪色に近似した色であるため、染色後の髪色を正確かつ容易に知ることができる。
【図面の簡単な説明】
【００１０】
【図１】図１は、本考案の一実施形態である染毛用色見本を示す図である。
【図２】図２は、染毛色表示領域を拡大して示す図である。
【図３】図３は、染毛用色見本の使用状態を示す図である。
【図４】図４は、複数種類の染毛用色見本を示す図である。
【図５】図５は、異なる種類の染毛用色見本を重ね合わせて使用する態様を説明するための図である。
【考案を実施するための形態】
【００１１】
次に、本考案の実施の形態について図面と共に説明する。
【００１２】
図１は、本考案の一実施形態である染毛用色見本となるヘアカラースケール１０を示している。このヘアカラースケール１０は、ベース材１１と、ベース材１１に設けられた複数種（本実施形態では３種）の染毛色表示領域１２〜１４とを有している。
【００１３】
ベース材１１は、透明なフィルム状の部材であり、アクリル樹脂、ポリカーボネート、メタクリル樹脂等を用いることができる。なお、ベース材１１は完全に透明である必要はなく、後述するようにヘアカラースケール１０を使用者Ａの髪に当てた際、使用者Ａの髪の色がベース材１１を介して透視できる透明度であればよい。
【００１４】
第１乃至第３の染毛色表示領域１２〜１４は、ベース材１１上に並んで配設されている。この第１乃至第３の染毛色表示領域１２〜１４は、例えば印刷法を用いて形成することができる。この各染毛色表示領域１２〜１４は、着色部となる着色パターン１５と、着色が行われずベース材１１のままの状態の非着色部１６とが混在した構成とされている。
【００１５】
図２（Ａ）は、染毛色表示領域１２〜１４の内、第３の染毛色表示領域１４を拡大して示している。図２（Ａ）に示す例では、着色が行われた着色パターン１５が円形のパターン形状とされている（これを着色パターン１５Ａと示す）。また、着色パターン１５Ａの並びは、縦横方向に格子状に整列した構成とされている。
【００１６】
しかしながら、着色パターンの形状及び並びはこれに限定されるものではない。例えば、着色パターン１５を細長い長楕円形状のパターンとしてもよい（図２（Ｂ）に長楕円形状の着色バターン１５Ｂと示す）。また、着色パターンの並びは、千鳥状の並べても、またランダムに並べた構成としてもよい。
【００１７】
また、第１乃至第３の染毛色表示領域１２〜１４を構成する着色パターン１５は、髪を染毛する染毛剤の色相に対応した色相で着色されている。本実施形態では、同一のベース材１１上に形成された各染毛色表示領域１２〜１４の色相（着色された色）は、同一色相（即ち、同じ色）とされている。この着色パターン１５は、ベース材１１を所定の染料（例えば、分散染料、酸性染料、直接染料等）で印刷することにより形成されている。
【００１８】
また、同一のベース材１１上に形成された各染毛色表示領域１２〜１４は、上記のように同一色相とされているが、濃淡が異なるよう構成されている。本実施形態では、第１の染毛色表示領域１２が最も透過率が高く、第３の染毛色表示領域１４が最も透過率が低く、第２の染毛色表示領域１３が第１及び第３の染毛色表示領域１２，１４の透過率の中間の透過率となるよう設定されている。
【００１９】
この各染毛色表示領域１２〜１４の透過率は、染毛色表示領域１２〜１４の全面積に対する着色パターン１５（着色部）の濃淡と面積の割合で変化する。染毛色の混色を再現する際には、多くの場合２〜３枚のヘアカラースケールを重ね合わせることになる。着色パターンの面積の割合が３０％のスケールを３枚重ね合わせると透過率が約３％以下となり実用が困難となる。また、着色パターンの面積の割合が７０％のスケールを３枚重ね合わせると、透過率が約３５％となりスケールを１枚使用した状態と同等の透過率が実現できる割合となる。
これらの理由により、本実施形態では、着色パターン１５の染毛色表示領域１２〜１４の実使用に耐えうる着色パターンの面積の割合を３０％よりも大きく７０％より小さい値に設定している。
【００２０】
具体的には、最も薄い第１の染毛色表示領域１２の全面積に対する着色パターン１５の割合は５０％に設定されている。また、最も濃い第３の染毛色表示領域１４の全面積に対する着色パターン１５の割合は９０％に設定されている。更に、第１及び第３の染毛色表示領域１２，１４の中間の濃さである第２の染毛色表示領域１３では、第２の染毛色表示領域１３の全面積に対する着色パターン１５の割合は７０％に設定されている。
【００２１】
なお、本実施形態ではベース材１１に濃淡の異なる３種類の染毛色表示領域１２〜１４を設けた例を示している。しかしながら、ヘアカラースケール１０に形成される濃淡の種類は３種類に限定されるものではなく、それ以上の種類の染毛色表示領域を形成してもよい。この場合、全ての濃淡の種類の染毛色表示領域が一枚のベース材１１に設けられない場合には、一つのベース材１１に全ての濃淡の種類を形成する必要はなく、複数枚のベース材１１に同一色相で濃淡の異なる染毛色表示領域を形成する構成としてもよい。
【００２２】
次に、上記構成とされたヘアカラースケール１０を用いた染毛色確認方法について説明する。
【００２３】
本実施形態に係る染毛色確認方法では、ヘアカラースケール１０を用い、これを図３に示すように使用者Ａの髪に当てることにより、使用者Ａが染毛を行う前に染毛後の髪の色を確認する。
【００２４】
染毛を行う場合、染め上がりの色に影響を及ぼすのは、使用者Ａの色相・明度・彩度と、染毛剤の色相・明度・彩度である。この３つのパラメータを同時に見ることにより、染毛後の髪の色を正確に確認することができる。
【００２５】
本実施形態に係る染毛色確認方法では、ヘアカラースケール１０を使用者Ａの髪に当てた際、ヘアカラースケール１０の透明部分から使用者Ａの髪の色を透視することができる。また、第１乃至第３の染毛色表示領域１２〜１４には染毛剤の色相に対応した色相の着色パターン１５が所定の濃淡を持って形成されている。
【００２６】
このため、使用者Ａがヘアカラースケール１０の第１乃至第３の染毛色表示領域１２〜１４を見た際、各第１乃至第３の染毛色表示領域１２〜１４に表示される色は、使用者Ａの髪の色と、染毛色表示領域１２〜１４の着色パターン１５の色とが混色された色となる。よって、本実施形態に係る染毛色確認方法によれば、単に単にヘアカラースケール１０を使用者Ａの髪に当てるだけで染め上がりの髪の色を確認することが可能となる。
【００２７】
以下、具体的な染毛色確認方法について説明する。
【００２８】
染毛色（染毛後の髪の色）を確認するには、先ず着色パターン１５（着色部）の色相及び濃淡が異なる複数種の染毛用色見本を用意する。図４では、色相及び濃淡が異なる３種類の第１のヘアカラースケール１０Ａ〜１０Ｃを用意した例を示している。
【００２９】
第１のヘアカラースケール１０Ａは、例えば色相がブラウンのスケールであり、濃淡は第１の染毛色表示領域１２Ａから第２の染毛色表示領域１３Ａ、第３の染毛色表示領域１４Ａの順で濃くなるよう設定されている。
【００３０】
また第２のヘアカラースケール１０Ｂは、例えば色相がレッドのスケールであり、濃淡は第１の染毛色表示領域１２Ｂから第２の染毛色表示領域１３Ｂ、第３の染毛色表示領域１４Ｂの順で濃くなるよう設定されている。
【００３１】
更に第３のヘアカラースケール１０Ｃは、例えば色相がオレンジのスケールであり、濃淡は第１の染毛色表示領域１２Ｃから第２の染毛色表示領域１３Ｃ、第３の染毛色表示領域１４Ｃの順で濃くなるよう設定されている。
【００３２】
次に、この複数種のヘアカラースケール１０Ａ〜１０Ｃ（染毛用色見本）から、染毛を行おうと考えている染毛剤の色相に対応するヘアカラースケールを選択する。この場合、染色を行おうと考えている染毛剤が一種類である場合には、この染毛剤に対応した色相の染毛色表示領域を有するヘアカラースケール選定する。
【００３３】
一方、染毛処理を行う場合には、複数の色相を有する染毛剤を混合させて染毛を行うことが一般に行われている。このような場合には、複数のヘアカラースケールを重ねて使用する。これについて、図５を用いて説明する。
【００３４】
色相がブラウンとレッドの染毛剤を混合して染毛しようと考えている場合には、図５（Ａ）に示すように第１のヘアカラースケール１０Ａと第２のヘアカラースケール１０Ｂを重ねて使用する。また、染毛しようとする濃さに応じて、各ヘアカラースケール１０Ａ，１０Ｂに形成されている各染毛色表示領域１２Ａ〜１４Ａ，１２Ｂ〜１４Ｂを選定する（即ち、濃淡の度合いを設定する）。
【００３５】
図５（Ａ）に示す例では、第１のヘアカラースケール１０Ａの第３の染毛色表示領域１４Ａと、第２のヘアカラースケール１０Ｂの第３の染毛色表示領域１４Ｂを一対一の割合で重ね合わせた例を示している。これにより、染毛色表示領域１４Ａと染毛色表示領域１４Ｂとが重なりあった色相は、ブラウンとレッドが一対一の割合で混色された色となる。
【００３６】
よって、このように２つのヘアカラースケール１０Ａ，１０Ｂを重ね合わせた状態で使用者Ａの髪に当てることにより、複数種類の染色剤を混ぜて使用した際の染め上がりの色も容易に確認することができる。
【００３７】
図５（Ｂ）は、色相がブラウン、レッド、及びオレンジの各染毛剤を混合して染毛しようと考えている例を示している。この場合には、図５（Ｂ）に示すように第１乃至第３のヘアカラースケール１０Ａ〜１０Ｃを重ねて使用する。また同図に示す例では、各ヘアカラースケール１０Ａ〜１０Ｃの第３の染毛色表示領域１４Ａ，１４Ｂ，１４Ｃをそれぞれ同じ割合で重ね合わせた例を示している。
【００３８】
これにより、染毛色表示領域１４Ａ〜１４Ｃが重なりあった色相は、ブラウン、レッド、及びオレンジが同じ割合で混色された色となる。よって、複数のヘアカラースケール１０Ａ〜１０Ｃを重ね合わせることにより、３種類以上の染色剤を混ぜて使用した際の染め上がりの色も容易に確認することができる。
【００３９】
なお、染毛色表示領域が重なり合うことにより、重なり合った染毛色表示領域内における着色パターン１５の密度は高くなり、よってその濃淡は濃くなる。よって、複数の染毛色表示領域を重ね合わせる場合、重ね合わせ数の増大に応じて、適宜染毛色表示領域の濃淡を適宜薄いものを選定することが望ましい。
【００４０】
以上、本考案の好ましい実施形態について詳述したが、本考案は上記した特定の実施形態に限定されるものではなく、実用新案登録請求の範囲に記載された本考案の要旨の範囲内において、種々の変形・変更が可能なものである。
【符号の説明】
【００４１】
１０  ヘアカラースケール
１０Ａ  第１のヘアカラースケール
１０Ｂ  第２のヘアカラースケール
１０Ｃ  第３のヘアカラースケール
１１  ベース材
１２  第１の染毛色表示領域
１３  第２の染毛色表示領域
１４  第３の染毛色表示領域
１５Ａ  着色パターン
１５Ｂ  非着色部
Ａ  使用者
【図１】
0003185980.tif 000003
【図２】
0003185980.tif 000004
【図３】
0003185980.tif 000005
【図４】
0003185980.tif 000006
【図５】
0003185980.tif 000007